(57)【特許請求の範囲】
【請求項１】
基材表面の定着層に転写すべき記録情報がプリントされる浸透層を有するシート状の被記録媒体を送る搬送機構と、この搬送機構で送られる被記録媒体の浸透層に対して昇華性インクを吹き付けて記録情報をプリントするプリント部とを有したプリンターに対して備えられる転写装置であって、
前記プリンターから送り出された被記録媒体を加熱することで浸透層にプリントされた記録情報を定着層に転写する加熱部を備えると共に、この加熱部が、プリント部から送り出された前記被記録媒体を自重により垂れ下がる姿勢で、この垂れ下がり方向への移動を許す加熱空間と、この加熱空間内の被記録媒体を前記昇華性インクが昇華する温度まで上昇させる加熱手段とを備えて構成され、
前記加熱手段によって加熱処理された前記被記録媒体は、前記加熱空間の下端位置に設けられた排出口から排出され、垂れ下がり姿勢のまま放冷される転写装置。
【請求項２】
加熱空間には前記被記録媒体を表裏両面から加熱するように互いに対向配置された一対のヒータが設けられている請求項１記載の転写装置。
【請求項３】
前記加熱空間から送り出された被記録媒体を切断するカッターユニットを備えている請求項１又は２記載の転写装置。
【請求項４】
前記プリンターに対して連結する状態と、分離する状態とに切換自在に構成されている請求項１〜３のいずれか１項に記載の転写装置。
【発明の詳細な説明】
【０００１】
【発明の属する技術分野】
本発明は、基材表面の定着層に転写すべき記録情報がプリントされる浸透層を有するシート状の被記録媒体を送る搬送機構と、この搬送機構で送られる被記録媒体の浸透層に対して昇華性インクを吹き付けて記録情報をプリントするプリント部とを有したプリンターに対して備えられる転写装置に関し、詳しくは、被記録媒体の浸透層にプリントされた記録情報を加熱することにより、この記録情報を定着層に転写する技術に関する。
【０００２】
【従来の技術】
上記のように構成された転写装置と類似する技術として特開平１０‐２９７１９７号公報に示されるものが存在する。
【０００３】
この従来の技術では、金属基材上に防錆層を兼ねる着色下地層を形成し、この上に光透過性樹脂層としてアクリル系樹脂やポリエステル系樹脂やウレタン系樹脂で成る透明樹脂層を形成し、この上に多孔質アルミナ等を用いたインクジェット受理層を形成して金属装飾体を構成すると共に、この金属装飾体のインクジェット受理層に対して昇華形着色材を用いたインクジェット印刷により着色模様を形成する。この後、この金属装飾体を加熱炉や、ホットプレスで加熱することによりインクジェット受理層の昇華形着色材が透明樹脂層に入り込み、インクジェット受理層に形成された着色模様が透明受理層に形成される。次に、インクジェット受理層を温水で軟化させた後、布等で拭き取ることによってインクジェット受理層の全てを取り除くことで、着色模様が形成された金属装飾体が完成する。
【０００４】
又、可撓性の樹脂シートを基材として用い、この基材の表面に定着層を形成し、更に、この定着層の表面に浸透層を形成し、浸透層にプリントした記録情報を加熱によって定着層に対して転写定着する被記録媒体は開発中のものであり、この被記録媒体を用い、この被記録媒体の浸透層に対して昇華性インクで記録情報のプリントを行った後に、加熱によって昇華性インクを昇華させて記録情報を定着層に転写定着させる連続的した処理を行う装置は開発されていなかった。
【０００５】
【発明が解決しようとする課題】
ここで、加熱によって転写が行われる被記録媒体の転写を行う装置について考えるに、例えば、この被記録媒体の基材に可撓性の樹脂シートを使用したものでは、この装置で被記録媒体の搬送時に偏った加熱が行われた場合や、不均一な放熱が行われた場合、あるいは、被記録媒体の搬送時に偏った力が作用する状態で加熱が行われた場合には、最終的に基材が歪み、平坦性を失うことが考えられる。特に、偏った加熱が行われた場合には、温度が高い領域で転写が進み、温度の低い領域で転写が抑制されるので、濃度ムラや色ムラに繋がるものとなる。
【０００６】
具体的に説明すると、加熱により昇華性インクを昇華させて定着層に対して転写像を形成するものでは、定着層としフッ素樹脂を使用すること等により銀塩印画紙に画像を形成（プリント）したものやインクジェットプリンターで画像を形成（プリント）したものと比較して耐候性に優れたものを作りやすく、屋外の看板や屋外に使用されるステッカーやシール類に使用することが可能となる。又、この種の被記録媒体を屋外に用いる場合には、基材として比較的安価で耐水性、平滑性に優れたＰＥＴ（polyethylene terephthalate）樹脂シートを使用することが有効である反面、このＰＥＴ樹脂は熱可塑性であるため、例えば、転写装置の加熱部に加熱型の圧着ローラを用い、この圧着ローラで被記録媒体を挟み込んで搬送を行い乍ら加熱するよう構成した場合には、圧着ローラ同士の圧着力のバラツキや、圧着ローラの表面における温度分布の不均衡から被記録媒体に作用する温度や圧力を不均衡にして基材の平坦性を損なうことや、転写される画像等に濃度ムラや色ムラを発生させるものとなり、均一な加熱を行い得る技術が望まれる。
【０００７】
本発明の目的は、被記録媒体を均一に加熱し得る転写装置を合理的に構成する点にある。
【０００８】
【課題を解決するための手段】
本発明の請求項１に係る転写装置の特徴、作用・効果は次の通りである。
〔特徴〕
基材表面の定着層に転写すべき記録情報がプリントされる浸透層を有するシート状の被記録媒体を送る搬送機構と、この搬送機構で送られる被記録媒体の浸透層に対して昇華性インクを吹き付けて記録情報をプリントするプリント部とを有したプリンターに対して備えられる転写装置において、前記プリンターから送り出された被記録媒体を加熱することで浸透層にプリントされた記録情報を定着層に転写する加熱部を備えると共に、この加熱部が、プリント部から送り出された前記被記録媒体を自重により垂れ下がる姿勢で、この垂れ下がり方向への移動を許す加熱空間と、この加熱空間内の被記録媒体を前記昇華性インクが昇華する温度まで上昇させる加熱手段とを備えて構成され、前記加熱手段によって加熱処理された前記被記録媒体は、前記加熱空間の下端位置に設けられた排出口から排出され、垂れ下がり姿勢のまま放冷される点にある。
【０００９】
〔作用・効果〕
上記特徴によると、プリンターから送り出された被記録媒体は加熱空間内において垂れ下がる姿勢で、垂れ下がり方向に移動する際に、加熱手段によって加熱されることになり、この加熱の際には被記録媒体を垂れ下がる姿勢で垂れ下がり方向、即ち、下方に移動させるので、この被記録媒体を搬送するローラ類や、記録媒体を積極的に案内するガイド類を用いないで済む。又、加熱空間内の温度を全体的に均一化することも可能であるので、被記録媒体に対して全体的に均一な熱を作用させる加熱処理も容易に行える。その結果、被記録媒体に外力を全く作用させない状態で均一な加熱を行えるばかりで無く、被記録媒体に歪みや、濃度ムラや色ムラを発生させ難い転写装置が合理的に構成された。
【００１０】
本発明の請求項２に係る転写装置の特徴は次の通りである。
【００１１】
〔特徴〕
請求項１記載の転写装置において、加熱空間には前記被記録媒体を表裏両面から加熱するように互いに対向配置された一対のヒータが設けられている点にある。
【００１２】
本発明の請求項３に係る転写装置の特徴、作用・効果は次の通りである。
〔特徴〕
請求項１又は２記載の転写装置において、前記加熱空間から送り出された被記録媒体を切断するカッターユニットを備えている点にある。
【００１３】
〔作用・効果〕
上記特徴によると、加熱空間から被記録媒体を垂れ下がり状態で送り出し、この部位で外力が作用させない状態で空気との接触で自然に放熱を行わせて、この被記録媒体を冷却でき、又、カッターユニットでの切断によって被記録媒体を必要とするサイズに切断することも可能となる。その結果、不均一な放熱に起因する歪みを発生させず、被記録媒体を任意のサイズに切断して使用できるものとなった。
【００１４】
本発明の請求項４に係る転写装置の特徴、作用・効果は次の通りである。
〔特徴〕
請求項１〜３のいずれか１項に記載の転写装置において、前記プリンターに対して連結する状態と、分離する状態とに切換自在に構成されている点にある。
【００１５】
〔作用・効果〕
上記特徴によると、該転写装置をプリンターに連結することで、プリンターから送り出された被記録媒体を加熱して転写を行え、該転写装置をプリンターから分離することで、この転写装置のメンテナンスを容易に行えるものとなる。その結果、市販されているインクジェットプリンターに連結して使用することや、メンテナンスを容易に行える転写装置が得られた。
【００１６】
【発明の実施の形態】
以下、本発明の実施の形態を図面に基づいて説明する。
図１〜図３に示すように、ロール状の被記録媒体Ｍを送る搬送機構Ａと、この搬送機構Ａで送られる被記録媒体Ｍに記録情報をプリントするインクジェット型のプリント部Ｂとを備えてインクジェットプリンターを構成すると共に、このインクジェットプリンターから送り出される被記録媒体Ｍを加熱する加熱部Ｃと、加熱後の被記録媒体Ｍを切断するカッターユニットＤとを備えて転写装置が構成されている。同図に示すようにインクジェットプリンターの本体ケース２０の内部には、搬送機構Ａと、プリント部Ｂとを制御すると共に、転写装置の加熱部Ｃと、カッターユニットＤとを制御する制御手段としての制御装置Ｅを備えている。又、インクジェットプリンターは、画像処理システムＦから転送される文字情報や画像情報で成る記録情報を被記録媒体Ｍにプリントする処理を実現し、転写装置はインクジェットプリンターから送り出された被記録媒体Ｍにプリントされた記録情報の転写を実現する。
【００１７】
同図に示すように、本体ケース２０はロール状の被記録媒体Ｍが収納された部位からプリント部Ｂに至る領域を開放する状態と、覆う状態とに切換自在な蓋状材２０Ａをヒンジ２１周りで揺動開閉に備え、又、底部に備えたフレーム２２に対して支柱部２３を介して接地脚部２４を備えることで体ケース部２０を比較的高い位置に支持し、プリント部Ｂでプリントされた被記録媒体Ｍを送り出す側の端部には断面形状が環状となる連結フレーム２５を備えている。又、前記ロール状の被記録媒体Ｍは、この被記録媒体Ｍの筒状の芯の両端部に挿入する支持体２６によって本体ケース２０の内部において回転自在に支持されている。
【００１８】
前記画像処理システムＦは汎用のコンピュータ１、モニター２、キーボード３、マウス４を有すると共に、現像済みのフィルム５の画像情報を光電変換するフィルムスキャナー６と、メディアに対してデジタル信号として保存された情報を取り出すようコンピュータ１に内蔵したメディアドライブ７とを備えて成り、この画像処理システムＦからの記録情報を前記制御装置Ｅに転送することにより、この転送された記録情報を被記録媒体Ｍに対して転写できるよう構成されている。尚、メディアドライブ７とは、ＣＤやＣＤ−Ｒ、あるいは、ＭＯ等のディスク状の媒体ばかりでなく、コンパクトフラッシュやスマートメディア等の半導体で成る媒体から情報を取り出すドライブの総称であり、同図にはＣＤ及びＣＤ−Ｒの情報を読出すドライブを示している。
【００１９】
前記被記録媒体Ｍは図４に示すように、ＰＥＴ（polyethylene terephthalate）製でフィルム状の基材１１の表面に対して、昇華性インクに対して親和性のある樹脂としてポリビニルアルコール系の樹脂やポリビニルアセタール系の樹脂等で定着層１２を形成し、この定着層１２の表面に昇華性インクに対して非親和性と成るフッ素樹やシリコン樹脂等の薄いフィルム状の浸透層１３を剥離自在に重ね合わせ、全体として柔軟なシート状に構成したものであり、浸透層１３に対して昇華性のインクで画像をプリントを行った後、加熱処理を行うことにより、浸透層１３のインクが昇華によって定着層１２に移行して基材１１の表面に記録情報を定着形成する機能を有するものであり、記録情報を転写定着した後には、浸透層１３をフィルム状のまま剥離して取り除くことにより基材１１の表面の定着層１２に形成された明瞭な画像を露出させるものとなっている。又、この被記録媒体Ｍは、基材１１の素材が昇華性インクに対して親和性を有する性質のものであれば、その基材１１の表面をそのまま定着層１２として利用したものであっても良い。
【００２０】
前記搬送機構Ａは、駆動回転によって被記録媒体Ｍを圧着状態で搬送するようプリント部Ｂを基準にして搬送上手側位置に配置した供給ローラ２８と、プリント部Ｂを基準にして搬送下手位置に配置した排出ローラ２９と、この供給ローラ２８、排出ローラ２９夫々を駆動するステッピングモータ型の搬送モータ３０とを備えて構成されている。又、供給ローラ２８は、駆動ローラ２８Ａと、これに圧着する圧着ローラ２８Ｂとで成り、排出ローラ２９は、駆動ローラ２９Ａと、これに圧着する圧着ローラ２９Ｂとで成っている。
【００２１】
前記プリント部Ｂは、被記録媒体Ｍの搬送方向と直交する姿勢に配置したガイドロッド３２と、このガイドロッド３２に沿って往復移動自在に支持されたプリントヘッド３３と、このプリントヘッド３３をタイミングベルト３４を介して往復駆動するステッピングモータ型の走査モータ３５とを備えて成っている。このプリントヘッド３３は、取り換え自在に構成されたインクカートリッジ３６のインクを被記録媒体Ｍに対して吹き付けるようピエゾ素子等の吐出機構３７を備えている。尚、インクカートリッジ３６として、シアン（Ｃ）、マゼンタ（Ｍ）、イエロー（Ｙ）、ブラック（Ｋ）の少なくとも４色のインクの他に中間色の２色のインクを用いた６色を使用するよう構成され、この実施の形態で使用される昇華性インクは、８０℃で昇華が始まり、１８０℃で２分程度の加熱により、最適な転写状態となる。尚、この昇華性インクは１７０℃〜２００℃程度でインクの昇華を無理なく行えるものであり、２００℃では１分程度の加熱、１７０℃では５分程度の加熱で必要とする転写が可能となっている。
【００２２】
前記転写装置を構成する加熱部Ｃは、前記本体ケース２０の連結フレーム２５に挿入する形態で連結する状態と、この連結フレーム２５から分離する状態とに切換自在に構成された加熱ケース４０を備えて構成されている。この加熱ケース４０は、前記排出ローラ２９によって水平方向に送り出される被記録媒体Ｍを受け入れるよう水平方向に導入空間Ｇを形成した上部ケース４０Ａと、この上部ケース４０Ａと連なる位置において下方に向けて被記録媒体の移動を許す加熱空間Ｈを形成した下部ケース４０Ｂと、導入空間Ｇと加熱空間Ｈとを仕切る中間隔壁４０Ｃとを有している。図面には示さないが、転写装置のインクジェットプリンターから分離した場合には、この転写装置に電力を供給するコードや、転写装置を制御する信号線を分離するよう電力コードや信号線には分離自在なコネクタ部を備えている。
【００２３】
加熱空間Ｈの内部には、被記録媒体Ｍが湾曲した状態で送られる経路の側部位置に対して、この被記録媒体Ｍの表裏両面から充分に離れた位置にガイドレール４０Ｇを配置してある。このガイドレール４０Ｇは積極的に被記録媒体Ｍを案内するものではないが、被記録媒体Ｍが搬送されるべき経路から大きく外れようとした際にのみ被記録媒体Ｍに接触して、この被記録媒体Ｍを適正な経路に送るよう機能する。
【００２４】
上部ケース４０Ａの端部を、前記連結フレーム２５に挿入することで嵌合連結可能な形状に成形してあり、図面には示さないが、この挿入部位には連結フレーム２５と上部ケース４０Ａとを固定する固定具を備えている。下部ケース４０Ｂとして断熱材を用いることで前記加熱空間Ｈを形成し、この加熱空間Ｈの内部において被記録媒体Ｍの表裏両面側を加熱する加熱手段としての赤外線ヒータ４１（遠赤外線ヒータを含む）と、被記録媒体Ｍからの輻射熱に基づいて被記録媒体Ｍの温度を計測する温度センサＳとを備え、加熱空間Ｈの下端に形成した排出口４２の開口部にガイドとしての遊転可能なガイドローラ４３を備えている。又、前記中間隔壁４０Ｃとして断熱材を用いると共に、この中間隔壁４０Ｃに被記録媒体Ｍが通過する開口４４を形成し、かつ、この開口部４４に対して排出ローラ２９から送られる被記録媒体Ｍを案内する遊転可能なガイドローラ４５を備えている。
【００２５】
前記カッターユニットＤは、前記排出口４２の直下位置に固定刃４７と、可動刃４８とを剪断位置に相対配置すると共に、クランク型等の作動機構を介して可動刃４８を駆動するカッターモータ４９を備えて構成されている。そして、このカッターユニットＤの下方位置には被記録媒体Ｍを受け止めるトレイ５０が配置される。
【００２６】
前記制御装置Ｆはマイクロプロセッサを内蔵して成り、図面には示さないが、この制御装置Ｆに対して前記コンピュータ１から転送される記録情報を入力する入力系を形成すると共に、温度センサＳからのフィードバック信号が入力する信号系を形成してあり、又、前記搬送モータ３０と、走査モータ３５と、吐出機構３７と、カッターモータ４９とに対して制御信号を出力する信号系を備えている。
【００２７】
このように構成したことから、転写装置で記録情報（画像情報）の転写を行う場合には、画像処理システムＦからプリントすべき記録情報を制御装置Ｅに転送することにより、この制御装置Ｅは、搬送機構Ａを制御して被記録媒体Ｍをプリント部Ｂに搬送し、プリントヘッド３３を制御してインクカートリッジ３６内の昇華性インクを被記録媒体Ｍに吹き付けて浸透層１３に記録情報をプリントするプリント処理を実行し、この処理を継続することで記録情報がプリントされた被記録媒体Ｍが搬送機構Ａの搬送力によって、転写装置を構成する加熱部Ｃに送り込まれる。そして、加熱部Ｃの加熱空間Ｈでは被記録媒体Ｍに対してガイド類が接触すること無く、被記録媒体Ｍが自重により垂れ下がる姿勢のまま下方に送られるものとなる。
【００２８】
搬送機構Ａで被記録媒体Ｍを送る際に、搬送機構Ａに設定された搬送速度で搬送される被記録媒体Ｍが加熱空間Ｈを通過するに必要とする時間を２分程度に設定してあり、この加熱空間Ｈにおいて被記録媒体Ｍが１８０℃に加熱されるよう温度センサＳからの信号をフィードバックする制御を実行することで、この加熱空間Ｈでは被記録媒体Ｍを搬送し乍ら１８０℃で２分間程度の加熱する処理が行われる。又、この温度は前述したように１８０℃に限るものでは無く、１７０℃から２００℃の間の範囲の温度に設定できる。
【００２９】
このように加熱処理が行われた被記録媒体Ｍは加熱部Ｃの排出口４２から排出され、垂れ下がり姿勢のまま外気との接触によって自然な放熱が行われ冷却され、この排出によって記録情報同士の間の位置がカッターユニットＤの切断位置に達すると、カッターユニットＤを作動させる切断処理が実行され、切断された被記録媒体Ｍは下部のトレイ５０に回収される。この後、このようにトレイ５０に回収された被記録媒体Ｍから浸透層１３をフィルム状のまま剥離させて取り除くことにより転写された記録情報を明瞭に視認可能な状態で露出させるものとなる。尚、連続した記録情報のうちの最後の記録情報の転写が行われた被記録媒体Ｍの後端を切断した後には、搬送機構Ａを逆転させて被記録媒体の端部をプリント部より上手位置まで戻す処理が行われる。
【００３０】
ちなみに、プリント部Ｂで被記録媒体Ｍに対して記録情報のプリントを行う場合にはプリントヘッド３３の走査時に被記録媒体Ｍの搬送を停止させ、プリントヘッド３３が走査方向での終端に達して走査作動が完了したタイミングで被記録媒体Ｍを設定量だけ搬送する形態の処理が繰り返して行われるのであるが、本転写装置では、例えば、被記録媒体Ｍに余白が形成されるようにプリントヘッド３３で記録情報がプリントされない状況であっても、予め設定された速度で被記録媒体Ｍを搬送することにより加熱ムラを発生させないよう被記録媒体Ｍの搬送形態を設定している。
【００３１】
このように本発明の転写装置では、インクジェットプリンターのプリント部Ｃで被記録媒体Ｍに対して記録情報をプリントした後には、搬送機構Ａの搬送力で送り出される被記録媒体Ｍを、本転写装置の加熱部Ｃの加熱空間Ｈに送り込むと共に、この加熱空間Ｈにおいては被記録媒体Ｍを、その先端が下方に向かうよう自重で湾曲させて垂れ下げる形態で、垂れ下がり方向（下方）に送ることにより、加熱空間Ｈの内部では被記録媒体Ｍにガイド類やローラ類を接触させない状態での加熱を可能にしており、例えば、ガイド類やローラ類に接触させた状態で加熱を行うものと比較して、被記録媒体Ｍに対して偏った力を作用させず、ムラの無い均一の加熱を可能にしている。このように外力が作用せず、均一な加熱を実現したことにより、被記録媒体Ｍの基材１１にＰＥＴ樹脂のように熱可塑性のフィルムを使用していても、加熱に起因する歪みを招くことが無く、しかも、転写時の濃度ムラや色ムラを招くことのない処理を実現している。更に、この転写装置では、加熱空間Ｈから被記録媒体Ｍを送り出して外気に接触させるので、垂れ下がり姿勢で外力を作用させない状態で外気と接触させて自然な放熱により冷却を行うものにしており、この冷却時にも基材１１に歪みを発生させないものにしている。そして、このように記録情報が転写された被記録媒体Ｍの浸透層１３をフィルム状のまま剥離させるよう人為的、あるいは、装置を用いて取り除くことによって被記録媒体Ｍの定着層１２に転写させた記録情報を露出させ、被記録媒体Ｍの定着層上に明瞭な文字情報や画像情報を得るのである。
【００３２】
〔別実施の形態〕
本発明は上記実施の形態以外に、以下のように構成することも可能である（この別実施の形態では前記実施の形態と同じ機能を有するものには、実施の形態と共通の番号、符号を付している）。
【００３３】
（イ）図５に示すように加熱部Ｃを構成する。つまり、導入空間Ｇを有する上部ケース４０Ａと、加熱空間Ｈを有する下部ケース４０Ｂと、導入空間Ｇと加熱空間Ｈとを仕切る中間隔壁４０Ｃとを備えて加熱ケース４０を構成する点は上記実施例と同じであるが、加熱空間Ｈの赤外線ヒータ４１に代えて、加熱手段としての電気ヒータ５２と、ファンモータ５３で駆動されるファン５４とを備え、加熱空間Ｈの内部に雰囲気温度を計測する温度センサＳを備えた点において構成が異なる。そして、加熱を行う際には、電気ヒータ５２とモータ５３とを駆動すると共に、温度センサＳからの信号をフィードバックすることにより、電気ヒータ５２で加熱された空気を加熱空間Ｈの内部に循環させて、この加熱空間Ｈの雰囲気温度を１８０℃程度に維持する制御を行うものにする。このように構成することにより、加熱された空気を流動させて被記録媒体Ｍに接触させることになるのでムラのない加熱を可能にして良好な転写を実現する。
【００３４】
（ロ）図６に示すように、ロール状の被記録媒体Ｍが収納された部位から引き出された被記録媒体Ｍを垂直下方に向けて送るようインクジェットプリンターの搬送機構Ａを構成すると共に、このように垂直に送られる被記録媒体Ｍに記録情報をプリントするようインクジェット型のプリント部Ｂを配置し、このプリント部Ｂから垂直下方に送られる被記録媒体Ｍを加熱する位置に、転写装置としての加熱部Ｃを配置して転写装置を構成する。この加熱部Ｃの構成は別実施の形態（イ）と同様に、加熱空間Ｈの空気を加熱するよう電気ヒータ５２と、ファンモータ５３で駆動されるファン５４とを備えて成り、この加熱空間Ｈの上端位置には加熱空気が上方に抜け出る現象を阻止するため、シリコンゴム等の耐熱性の可撓性の素材で成るリップ状部材５６を備えている。このように構成することにより、実施の形態のように被記録媒体Ｍを湾曲させて垂れ下がる形態で案内するものと比較して、被記録媒体Ｍを送る構成が単純化するばかりか決まった経路に被記録媒体Ｍを送り適正な加熱を可能にするものにしている。
【００３５】
（ハ）前記実施の形態に記載したように排出口４２に備えたガイドローラ４３、あるいは、開口部４４に備えたガイドローラ４５を駆動回転するよう構成して被記録媒体Ｍをガイドすると同時に搬送力を作用させるよう構成することが可能であり、又、これらのガイドローラ４３、４５に代えて耐熱性に優れた樹脂や金属板を用いてガイドを構成することも可能である。
【図面の簡単な説明】
【図１】転写装置と画像処理システムとの全体斜視図
【図２】転写装置の主要部の縦断側面図
【図３】転写装置の主要部の斜視図
【図４】被記録媒体の断面図
【図５】別実施の形態（イ）の転写装置の縦断側面図
【図６】別実施の形態（ロ）の転写装置の縦断側面図
【符号の説明】
１１            基材
１２            定着層
１３            浸透層
４１、５２      加熱手段
４２            排出口
４３            ガイド
Ａ              搬送機構
Ｂ              プリント部
Ｃ              加熱部
Ｄ              カッターユニット
Ｈ              加熱空間
Ｍ              被記録媒体
【図１】
0003981869.tif 000002
【図２】
0003981869.tif 000003
【図３】
0003981869.tif 000004
【図４】
0003981869.tif 000005
【図５】
0003981869.tif 000006
【図６】
0003981869.tif 000007